(57)【特許請求の範囲】
【請求項１】
シリンダと、
該シリンダ内に設けられ、軸線方向で第１位置と第２位置との間で往復動するピストンと、
該シリンダ内において該ピストンの該第１位置側及び該第２位置側にそれぞれ位置する第１室及び第２室と、
該第１室及び第２室を連通するように該ピストンを貫通して形成された連通路に設けられた逆止弁と、
該シリンダ内を該第１室側から該ピストンを通して該第２室へ軸線方向に延びている内側管と、
該内側管の外側で該第１室側から該第２室側に該軸線方向に延びて一端が該第２室内にあり、該内側管との間に軸線方向流路を形成するように取り付けられた外側管であって、該軸線方向流路が該外側管の該一端側において該第２室から密封遮断され、当該外側管の側壁を貫通して設けられた開口を有し、該ピストンが当該外側管に沿って摺動するようにされており、該ピストンが該第１位置にあるときに該開口が該第２室と該軸線方向流路とを連通し、該ピストンが該第１位置から該第２位置の方へ所定距離だけ動かされると、該開口を該第２室から遮断し、該開口が該第１室と該軸線方向流路とを連通するようにされた外側管と、
該内側管の他端と該軸線方向通路とを連通し第１の流路抵抗を有する第１制限流路と、
該第１室と該軸線方向流路とを連通し、第２の流体抵抗を有する第２制限流路と、
を有する閉扉速度調整装置。
【請求項２】
該逆止弁が、該ピストンが第１位置から該第２位置に向かうときに、該連通路を通して該第２室から該第１室に流体が流れるのを阻止し、該ピストンが該第２位置から該第１位置に向かうときに、該連通路を通して該第１室から該第２室に流体が流れるのを許容するようにした請求項１に記載の閉扉速度調整装置。
【請求項３】
該逆止弁が、該ピストンが第１位置から該第２位置に向かうときに、該連通路を通して該第２室から該第１室に流体が流れるのを許容し、該ピストンが該第２位置から該第１位置に向かうときに、該連通路を通して該第１室から該第２室に流体が流れるのを阻止するようにした請求項１に記載の閉扉速度調整装置。
【請求項４】
該外側管の側壁の開口が、軸線方向で間隔をあけて設けられた第１開口と該第１開口よりも該外側管の該一端側に設けられた第２開口を有し、該ピストンが該第１位置から該第２位置の方へ所定距離だけ動かされると、該第２開口を閉じ該第１開口を該第１室に連通した状態となって当該ピストンが動かされるようにした請求項２又は３に記載の閉扉速度調整装置。
【請求項５】
該第１及び第２制限流路の流路抵抗が調整可能とされている請求項１乃至４のいずれかに記載の閉扉速度調整装置。
【請求項６】
ドア内部に該ドアの枢軸線に沿って設定され、該ドアの閉扉作用を行うドアクローザであって、
請求項１乃至５のいずれかに記載の開閉速度調整装置を備え、
該開閉速度調整装置の該シリンダが、ドア枠に固定されて該枢軸線に沿って延びる内側シリンダ部と、該内側シリンダ部の外側に該内側シリンダと同軸状にしてドア内部に固定された外側シリンダ部とを有し、
該外側シリンダ部が、該ピストンとの間に該第１室を画定する閉止部材を有し、
該外側管が、該閉止部材からピストンに向かって延びる第１の外側管部と、該第１の外側管部から同軸状に延びて該ピストンを貫通し、該ピストンが摺動可能とされている第２の外側管部とを有し、
該ピストンは、該閉止部材に向けて延びる筒状の部分を有し、該筒状の部分が該第１の外側管部とスプライン結合されて、当該ピストンが該第１の外側管部に対して軸線方向でのみ変位可能とする内周面と、該内側シリンダ部の内周面に形成されたメネジと係合されるオネジを有する外周面とを有し、ドアが開閉されることにより該外側シリンダ部が該内側シリンダ部に対して回転することにより、該筒状の部分を備える該ピストンが軸線方向で動くようにしたドアクローザ。
【発明の詳細な説明】
【技術分野】
【０００１】
本発明はドアのクローザに関し、特に、クローザがドアを閉扉するときに、最大開きからの閉じ速度と閉扉完了直前の速度を別個に調整できる速度調整装置に関する。
【背景技術】
【０００２】
ドアクローザは、開いたドアを自動的に閉扉するための装置であり、例えば、閉扉完了直前において、それまでの閉扉速度より遅くして、指をドアとドア枠との間に挟まれないようにする速度調整装置を備えたドアクローザが開発されている。
【０００３】
ドアクローザの速度調整装置は、通常、シリンダと、ドアの開閉に伴って該シリンダ内で該シリンダの長手軸線方向で往復動するピストンとを有し、開扉するときにはピストンが抵抗なく動き、閉扉するときには、シリンダ内のピストンの進む方向の側の流体室から押し出される流体を、所定の流路抵抗を有する流路を通してピストンの反対側の流体室に流すようにしてドアの動きに一定の抵抗を与え、閉扉が完了する直前において、その流路抵抗をより大きくすることにより、ドアの閉扉速度をより遅くするようにしている。
【発明の開示】
【発明が解決しようとする課題】
【０００４】
しかし、従来の速度調整装置は、上記流体抵抗を備える流路をシリンダの側壁内に形成するようにしているので、該側壁が厚くなってシリンダの径が大きくなり、このため、この速度調整装置を備えたドアクローザをドアの内部に設定することはできず、ドアの外側に取り付けざるを得なかった。
【０００５】
美観という点からは、当該ドアクローザをドア内部に設定することができるようにすることが望まれる。
【課題を解決するための手段】
【０００６】
本発明は、このような点に鑑み、
シリンダ（以下に述べる実施形態の説明では参照番号２２；２２Ａ，２２Ｂ；１２２Ａ，１２２Ｂ；２２２で示す）と、
該シリンダ内に設けられ、軸線方向で第１位置と第２位置との間で往復動するピストン（３２；１３２；２３２）と、
該シリンダ内において該ピストンの該第１位置側及び該第２位置側にそれぞれ位置する第１室（３６；１３６；２３４）及び第２室（３４；１３４；２３６）と、
該第１室及び第２室を連通するように該ピストンを貫通して形成された連通路（３８；１３８；２３８）に設けられた逆止弁（４０；１４０；２４０）と、
該シリンダ内を該第１室側から該ピストンを通して該第２室へ軸線方向に延びている内側管（４２；１４２；２４２）と、
該内側管の外側で該第１室（３６；１３６；２３４）側から該第２室（３４；１３４；２３６）側に該軸線方向に延びて一端が該第２室（３４；１３４；２３６）内にあり、該内側管との間に軸線方向流路（４４；１４４；２４４）を形成するように取り付けられた外側管（４６；４６Ａ，４６Ｂ；１４６Ａ，１４６Ｂ；２４６）であって、該軸線方向流路（４４；１４４；２４４）が該外側管の該一端側において該第２室（３４；１３４；２３６）から密封遮断され、当該外側管の側壁を貫通して設けられた開口（５０,５２；１５０，１５２；２５０，２５２）を有し、該ピストン（３２；１３２；２３２）が当該外側管に沿って摺動するようにされており、該ピストンが該第１位置にあるときに該開口（５０,５２；１５０，１５２；２５０，２５２）が該第２室（３４；１３４；２３６）と該軸線方向流路（４４；１４４；２４４）とを連通し、該ピストン（３２；１３２；２３２）が該第１位置から該第２位置の方へ所定距離だけ動かされると、該開口（５０,５２；１５０，１５２；２５０，２５２）を該第２室（３４；１３４；２３６）から遮断し、該開口が該第１室（３６；１３６；２３４）と該軸線方向流路（４４；１４４；２４４）とを連通するようにされた外側管（４６；４６Ａ，４６Ｂ；１４６Ａ，１４６Ｂ；２４６）と、
該内側管（４２；１４２；２４２）の他端と該軸線方向通路（４４；１４４；２４４）とを連通し第１の流路抵抗を有する第１制限流路（５６；１５６；２５６）と、
該第１室（３６；１３６；２３４）と該軸線方向流路（４４；１４４；２４４）とを連通し、第２の流体抵抗を有する第２制限流路（６８；１６８；２６８）と、
を有する閉扉速度調整装置を提供する。
【０００７】
この閉扉速度調整装置をドアに取り付けるときには、ドアの開閉に伴って、ピストンがシリンダ内を軸線方向で変位するようにし、開扉時には逆止弁を介して連通路を通る流体の流れを許容し、閉扉時には、逆止弁が連通路を通る流体の流れを阻止して、流体が第１及び第２制限流路を通るようにすることにより、二速調整ができるようにする。この閉扉速度調整装置においては、速度調整のための流路等をシリンダの内側に設けるようにしたので、当該シリンダの径を大きくする必要が無く、したがって、小径とすることができ、これをドアクローザ内に設定しても、当該ドアクローザをドアの内部に設定することを可能とする。
【０００８】
具体的には、
該逆止弁（４０；１４０；２４０）が、該ピストン（３２；１３２；２３２）が第１位置から該第２位置に向かうときに、該連通路（３８；１３８；２３８）を通して該第２室（３４；１３４；２３６）から該第１室（３６；１３６；２３４）に流体が流れるのを阻止し、該ピストンが該第２位置から該第１位置に向かうときに、該連通路（３８；１３８；２３８）を通して該第１室（３６；１３６；２３４）から該第２室（３４；１３４；２３６）に流体が流れるのを許容するようにすることができる。
【０００９】
これは、閉扉時にピストンが第１位置から第２位置に向かうように設定された場合である。
【００１０】
これとは逆に、閉扉時にピストンが第２位置から第１位置に向かうように設定された場合には、該逆止弁（４０；１４０；２４０）が、該ピストン（３２；１３２；２３２）が第１位置から該第２位置に向かうときに、該連通路（３８；１３８；２３８）を通して該第２室（３４；１３４；２３６）から該第１室（３６；１３６；２３４）に流体が流れるのを許容し、該ピストンが該第２位置から該第１位置に向かうときに、該連通路（３８；１３８；２３８）を通して該第１室（３６；１３６；２３４）から該第２室（３４；１３４；２３６）に流体が流れるのを阻止する。
【００１１】
より具体的には、
該外側管の側壁の開口が、軸線方向で間隔をあけて設けられた第１開口（５０；１５０；２５０）と該第１開口よりも該外側管の該一端側に設けられた第２開口（５２；１５２；２５２）を有し、該ピストンが、該第１位置から該第２位置の方へ一定距離だけ動かされると、該第２開口を閉じ該第１開口（５０；１５０；２５０）を該第１室（３６；１３６；２３４）に連通した状態となって当該ピストンが動かされるようにすることができる。
【００１２】
閉扉時にピストンが第１位置から第２位置に向かうように設定された場合には、第２室が高圧室となり、その閉扉の途中で、高圧室の第２室の流体が第１及び第２開口から遮蔽されて、第１開口が低圧室である第１室に連通される。すなわち、閉扉の最初の段階では、高圧室である第２室が第１及び第２開口（５０；１５０；２５０；５２；１５２；２５２）、軸方向流路（４４；１４４；２４４）、第１制限流路（５６；１５６；２５６）を介して低圧室である第１室に流れる。このとき第２制限流路（６８；１６８；２６８）は、その一端が内側管（４２；１４２；２４２）を介して高圧流体である第２室に連通され、他端が軸方向流路（４４；１４４；２４４）を介して第２室に連通されているので、流体は流れない。ピストンが一定距離動くと、軸方向流路は高圧室から遮断され、該高圧流体の流体は内側管（４２；１４２；２４２）、第２制限流路（６８；１６８；２６８）を介して低圧室である第１室に流れる。このようにして、閉扉時のドアに対する抵抗を２段階で変え、２速調整を行なう。
【００１３】
これとは逆に、閉扉時にピストンが第２位置から第１位置に向かうように設定された場合には、第１室が高圧室となり、その閉扉の途中で、高圧室からの流体の流れが第１制限流路を介しての流れから第２制限流路を介しての流れに変わり、同様に２速調整が行なわれる。
【００１４】
また、第１及び第２制限流路の流路抵抗が調整可能とすることができる。
【００１５】
本発明はまた、
ドア（１２）内部に該ドアの枢軸線（Ａ）に沿って設定され、該ドアの閉扉作用を行うドアクローザ（２０）であって、
上述の如き開閉速度調整装置を備え、
該開閉速度調整装置のシリンダ（２２；２２Ａ，２２Ｂ）が、ドア枠（１０；１０Ａ，１０Ｂ）に固定されて該枢軸線に沿って延びる内側シリンダ部（２２Ｂ）と、該内側シリンダ部の外側に該内側シリンダと同軸状にしてドア内部に固定された外側シリンダ部（２２Ａ）とを有し、
該外側シリンダ部（２２Ａ）が、該ピストン（３２）との間に該第１室（３６，３６Ａ）を画定する閉止部材（４８）を有し、
該外側管（４６）が、該閉止部材からピストンに向かって延びる第１の外側管部（４６Ａ）と、該第１の外側管部から同軸状に延びて該ピストンを貫通し、該ピストンが摺動可能とされている第２の外側管部（４６Ｂ）とを有し、
該ピストン（３２）は、該閉止部材（４８）に向けて延びる筒状の部分（３２Ａ）を有し、該筒状の部分（３２Ａ）が該第１の外側管部（４６Ａ）とスプライン結合されて、当該ピストン（３２）が該第１の外側管部（４６Ａ）に対して軸線方向でのみ変位可能とする内周面と、該内側シリンダ部の内周面に形成されたメネジ（２２Ｃ）と係合されるオネジ（４６Ｃ）を有する外周面とを有し、ドア（１２）が開閉されることにより該外側シリンダ部（２２Ａ）が該内側シリンダ部（２２Ｂ）に対して回転することにより、該筒状の部分（３２Ａ）を備える該ピストン（３２）が軸線方向で動くようにしたドアクローザを提供する。
【００１６】
このドアクローザでは、上述のように、速度調整装置を小径とすることができ、当該ドアクローザをドア内部に設定することが可能である。
【発明を実施するための最良の形態】
【００１７】
以下、本発明に係る速度調整装置を備えたドアクローザの実施例につき添付図面を用いて説明する。
【００１８】
図１は、ドア枠１０（図においてはドア枠の上部枠部１０Ａ、下部枠部１０Ｂのみを示す）に対して枢動開閉可能に取り付けられたドア１２を示している。具体的には、該ドア１２は、上部ヒンジ装置１４及び下部ヒンジ装置１６により、それらのヒンジ装置が画定する垂直枢軸線Ａの周りで枢動開閉するようになっている。
【００１９】
上部ヒンジ装置１４は、上部枠部１０Ａに固定される基部１４Ａと該基部に対して上記垂直枢軸線の周りで回動可能にされてドア１２の内部に設定された可動部１４Ｂとからなる。
【００２０】
下部ヒンジ装置１６は、下部枠部１０Ｂに固定される基部１６Ａと、該基部に取り付けられてドア１２内部に設定された本発明に係るドアクローザ２０とを有する。
【００２１】
ドアクローザ２０は、図２に示すように、シリンダ２２と、基部１６Ａに形成された凹部に嵌合されて、シリンダ２２の下端部から入り、シリンダ２２の上下方向の略中央位置まで延びたシャフト２４を有している。シリンダ２２は、外側シリンダ部２２Ａとその内側に回転可能に設定された内側シリンダ部２２Ｂとを有し、外側シリンダ部２２Ａは、その下端近傍に取り付けられ側方に延びてドア１２に固定される固定部材２６を有している。
【００２２】
シャフト２４は、その上端２４Ａが大径とされ、内側シリンダ部２２Ｂに固定されており、それにより、内側シリンダ部２２Ｂが回転しないようにしている。
【００２３】
シャフト２４と外側シリンダ部２２Ａとの間の筒状空間にはコイルバネ２８が設定され、その上端は外側シリンダ部２２Ａに固定されたバネ係止部材２９に、下端はシャフト２４に係止されており、ドア１２が開かれて外側シリンダ部２２Ａがシャフト２４に対して相対的に回転されると、コイルバネ２８が巻き込まれて、該ドアを閉じるための付勢力を蓄勢するようになっている。
【００２４】
シャフトのほぼ上半部分は本発明に係る速度調整装置３０とされている。
【００２５】
すなわち、この速度調整装置３０は、内側シリンダ部２２内に設けられ、ドア１２が開扉位置と閉扉位置との間で開閉するのにともなって、該開扉位置に対応する第１位置(図６に示す下端位置)と閉扉位置に対応する第２位置(図４に示す上端位置)との間で往復動するピストン３２を有する。内部シリンダ部２２Ｂ内には、ピストン３２の下側に高圧室（第２室）３４が、また、ピストン３２の上側に低圧室（第１室）３６が形成されている。ピストン３２には、高圧室３４と低圧室３６とを連通するように該ピストン３２を貫通して連通路３８が形成され、該連通路３８には逆止弁４０が設けられて、ドアが閉扉されるとき、すなわち、ピストン３２が第１位置（図６）から第２位置(図４）に向けて動かされるときには、高圧室３４から低圧室３６への流体の流れを阻止し、ドアが開扉されるとき、すなわち、ピストンが第２位置（図４）から第１位置(図６)に向けて動かされるときには、低圧室３６から高圧室３４への流体の流れを許容するようになっている。
【００２６】
内側シリンダ部２２Ｂ内には、軸線方向に延び、一端が高圧室３４に連通している内側管４２と、内側管の外側に設けられ軸線方向に延びて一端が高圧室３４内にあり且つ該高圧室３４から密封遮断されている外側管４６が設けられており、外側管４６は、具体的には、シリンダ２２の上端を閉じている閉止部材４８から下方に延びる上部外側管部（第１の外側管部）４６Ａと該上部外側管部の下端に同心状に取り付けられ高圧室３４にまで延びる下部外側管部（第２の外側管部）４６Ｂとから構成されている。図４乃至図６に明瞭に示すように、外側管４６と内側管４２との間には軸線方向流路４４が形成されている。
【００２７】
外側管４６には、ピストン３２が軸線方向で摺動するようにされている。具体的には、ピストン３２は、下部外側管部４６Ｂ上を摺動するようにされると共に、該ピストン３２に固定されて上方に伸びるピストン上部部分（筒状の部分）３２Ａを有しており、該上部部分３２Ａが上部外側管部４６Ａとスプライン結合されており、該上部外側管部４６Ａに対して軸線方向でのみ摺動可能とされている。図４乃至図６に明瞭に示すように、上部外側管部４６Ａは、その上部の外周面がＯリング４７によって内側シリンダ部２２Ｂと密封係合され、その下部の外周面にはオネジ４６Ｃが形成されており、内側シリンダ部２２Ｂの内周面に形成されたメネジ２２Ｃとネジ係合されており、ドア１２が開閉されて、外側シリンダ部２２Ａが内側シリンダ部２２Ｂに対して相対的に回転されると、ピストン３２が上下するようにされている。ピストン上部部分３２Ａと閉止部材４８との間には、上部低圧室３６Ａが形成されており、スプライン結合されている上部外側管部４６Ａの外周面とピストン上部部分３２Ａの内周面との間の隙間を介して連通されている。
【００２８】
また、下部外側管部４６Ｂの側壁には軸線方向で間隔をあけて設けられた第１開口５０と第２開口５２とが設けられており、該第１及び第２開口は、ピストン３２が図６に示す第１位置にあるときには（すなわち、ドアが開かれた状態にあるときには）高圧室３４と軸線方向流路４４とを連通し、ピストン３２が該第１位置から第２位置（ドアが閉じた状態の図４の位置）へ下方に動くのに伴って、高圧室３４と軸方向流路４４との連通が遮断され、低圧室３６とが連通されるようになされている。具体的には、下方へ動くピストンは先ず第１開口５０を閉じ（その時点では、高圧室３４と軸線方向流路４４とは第２開口５２により連通されている）、図５に示すようにピストンが更に下方へ動くと第１及び第２開口５０，５２の両方を閉じ、ピストン３２がその位置から僅かに下方に動くと、第１開口５０を開き、該第１開口５０を介して低圧室３６と軸線方向流路４４が連通されるようにされている。
【００２９】
内側管４２の上端部は、閉止部材４８に固定されている。該閉止部材４８には、内側管４２の内部通路４２Ａと軸線方向通路４４とを連通する第１制限流路５６と、低圧室３６と軸線方向流路４４とを連通する第２制限流路６８とが形成されている。
【００３０】
第１制限流路５６は、具体的には、内側管４２の内部通路４２Ａの上端から図３で見て半径方向に斜め上方に延びる流路５６Ａと、軸線方向流路４４から半径方向右方に延びる流路５６Ｂと、これら流路５６Ａ，５６Ｂを連通する流路５６Ｃとから構成されている。流路５６Ｃには、該流路に対して同軸状に設定された流路抵抗調節部材６０がネジ係合されており、該流路抵抗調節部材を螺回することにより当該第１制限流路５６の流路抵抗を調節できるようになっている。
【００３１】
第２制限流路６８は、軸線方向流路４４から図３で見て半径方向左方に延びる流路６８Ａと、該流路５６Ａの中間位置から図３で見て上方に伸びる流路６８Ｂと、該流路６８Ｂと連通して半径方向内側に延びる流路６８Ｃと、該流路６８Ｃの半径方向内端に連通されて図２で見て閉止部材４８内を下方に延び上部低圧室３６Ａに連通されている流路６８Ｄ（図２）とから構成されている。流路６８Ｂには、該流路に対して同軸状に設定された流路抵抗調節部材６２がネジ係合されており、該流路抵抗調節部材を螺回することにより当該第２制限流路６８の流路抵抗を調節するようになっている。
【００３２】
このドアクローザを備えたドア１２を閉扉位置から開扉位置に向けて枢動すると、下部ドア枠１０Ｂに固定されているシャフト２４及び該シャフトに固定されている内側シリンダ部２２Ｂに対し、外側シリンダ部２２Ａが相対的に回転し、該外側シリンダ部２２Ａに固定された閉止部材４８及び該閉止部材から下方へ延びる上部外側管部４６Ａが回転してピストン３２を回転する。該ピストン３２にネジ係合している内側シリンダ部２２Ｂはシャフト２４に固定されており回転しないため、ピストン３２は、図４の位置から図６の位置に向けて上昇する。このときピストン３２に設けられた逆止弁４０は、当該ピストン３２に形成されている連通路３８を介して低圧室３２から高圧室３４への流れに対しては抵抗せず、このため、ドアは特別な抵抗を受けることなく開くことができる。
【００３３】
これに対し、ドア１２を開扉位置から閉扉位置に向けて枢動すると、ピストン３２には上記とは逆に図６の位置から図４の位置に向けて下降する。このときは、逆止弁は連通路３８の流れを阻止する。このため、高圧室３４の流体は、先ず、内側管４２及び（第１及び第２開口５０，５２を介して）軸線方向流路４４に向けられる。第１制限流路５６は、前述の通り、内側管４２の上端と軸方向流路とを連通しているので、当該第１制限流路５６の両端には同じ圧力がかけられるためにいずれの方向にも流れが生じない。
【００３４】
一方、第２制限流路６８は、軸線方向流路４４を上部低圧室３６Ａに連通しており、該上部低圧室３６Ａは低圧室に連通しているので、流体が高圧室３４から該第２制限流路６８を介して上部低圧室３４Ａ及び低圧室３４へ流れ、そのために、ドア１２が第２制限流路５６によってかけられた所定の流路抵抗を受けながら閉扉される。
【００３５】
ドア１２が例えば、閉扉完了間近の位置まで閉扉されると、高圧室３４は軸線方向流路４４から遮断され、低圧室３６が第１開口５０を介して軸線方向流路４４に連通される。従って、高圧室３４の流体は、内側管４２内の流路から第１制限流路５６を介して軸線方向流路及び上部低圧室３４Ａに通される。このとき、第２制限流路６８の両端はともに低圧室の流体圧がかけられることになるから、該第２制限流路を通しての流れは生じず、高圧室からの流体は第１制限流路５６を通してのみ低圧室に流れる。従って、該第１制限流路５６の流路抵抗を、第２制限流路６８の流路抵抗よりも大きくしておけば、ドアはそれまでに受けていた抵抗以上の抵抗をうけて減速され、指をドアとドア枠との間に挟んだりするのを回避することが可能となる。これとは逆に第１制限流路５６の流路抵抗を第２制限流路６８より小さくしておくこともでき、その場合には最初の閉扉範囲ではドアが遅く閉り、その後は速く閉るという作用となる。
【００３６】
図７は、本発明に係る閉扉速度調整装置を蝶番１３０に適用した場合を示している。
この場合、蝶番１３０は、シリンダ１２２が上述の第１の実施形態のように外側シリンダ部及び内側シリンダ部からなるものではなく、上部と下部のシリンダ部１２２Ａ，１２２Ｂから構成され、上部シリンダ部１２２Ａがドア枠に固定され、下部シリンダ部１２２Ｂがドアに固定されるようになっている。この上部及び下部シリンダ部に対する他の構成要素の関係は、第１の実施形態における外側及び内側シリンダ部に対するものと実質的に同じであり、従って、第１の実施形態の要素に対応するものに１００番台の同じ参照番号を付して示し、詳細な説明は省略する。
【００３７】
図８は、本発明に係る開扉速度調整装置２３０をドア外付けのドアクローザに適用した場合を示している。
【００３８】
このドアクローザは、ドアに固定されるシリンダ２２２を備えており、該シリンダに対してドアの開閉に伴って回転される回転シャフト２０２が貫通するようにして取り付けられている。回転シャフト２０２はピストン２３２の内側に形成されたラック２０４と係合された歯車２０６を有しており、ドアの開閉に伴って該ピストン２３２を往復動する。該シリンダ２２２内にはコイルバネ２２８が設定されており、ピストン２３２をドアが閉じられた状態に対応する位置に付勢しており、ドアが開かれてピストン２３２が図において左方に変位されると圧縮され、該ドアを閉じた位置に戻すための付勢力を蓄勢するようになっている。閉扉動作における最初の閉扉範囲では高圧室２３４の流体が開口２５０を通して軸線方向流路２４４に押し出されるが、第二制限流路２６８は、その一端が軸線方向流路２４４に連通され、他端が流路２６８Ｄに連通されて両端共に高圧室に連通されているために、流体は該第２制限流路を通らずに、第１制限流路２５６を通り、内側管２４２から低圧室に流れる。閉じ際では開口２５０は閉じられ、このため、高圧室の流体は第２制限流路２６８を介して低圧室に流れる。その他の点については、ピストンに対する高圧室と低圧室の位置関係が、上述の第１の実施形態とは逆になっており、そのため、逆止弁の作用もピストンの動きに対して逆になっていることを除けば、構成要素は第１の実施形態における場合と実質的に同じであり、２００番台の同じ参照番号を付して示し、詳細な説明は省略する。
【図面の簡単な説明】
【００３９】
【図１】本発明に係るドアクローザを取り付けたドアの概要を示す図である。
【図２】同ドアクローザの内部を示す断面図である。
【図３】該ドアクローザを軸線方向で見た場合の同ドアクローザにおける速度調整装置の流路の関係を示すための図である。
【図４】閉扉状態のときの速度調整装置の内部を示す図である。
【図５】開扉状態と開扉状態との間にあるときの速度調整装置の内部を示す図である。
【図６】閉扉状態のときの速度調整装置の内部を示す図である。
【図７】本発明に係る速度調整装置を取り付けた蝶番の内部を示す図である。
【図８】本発明に係る速度調整装置を取り付けた外付けのドアクローザの内部を示す図である。
【符号の説明】
【００４０】
垂直枢軸線Ａ；ドア枠１０；上部枠部１０Ａ；下部枠部１０Ｂ；ドア１２；上部ヒンジ装置１４；可動部１４Ｂ；下部ヒンジ装置１６；基部１６Ａ；ドアクローザ２０；シリンダ２２，１２２，２２２；外側シリンダ部２２Ａ；内側シリンダ部２２Ｂ；シャフト２４；上端２４Ａ；固定部材２６；コイルバネ２８；バネ係止部材２９；速度調整装置３０，１３０，２３０；ピストン３２，１３２，２３２；ピストン上部部分３２Ａ；高圧室（第２室）３４，１３４；低圧室（第１室）３６；連通路３８；逆止弁４０，１４０，２４０；内側管４２，１４２，２４２；内部通路４２Ａ；軸線方向流路４４，１４４，２４４；外側管４６，１４６，２４６；上部外側管部４６Ａ；下部外側管部４６Ｂ；オネジ４６Ｃ；Ｏリング４７；閉止部材４８，１４８，２４８；第１開口５０，１５０，２５０；第２開口５２，１５２，２５２；軸線方向通路４４，１４４，２４４；第１制限流路５６，１５６，２５６；流路５６Ａ；流路５６Ｂ；流路５６Ｃ；第２制限流路６８，１６８，２６８；流路６８Ａ；流路６８Ｂ；流路６８Ｃ；流路６８Ｄ；流路抵抗調節部材６０；；蝶番１３０；上部シリンダ部１２２Ａ；下部１２２Ｂ；回転シャフト２０２；ラック２０４；歯車２０６；コイルバネ２２８；ピストン２３２；高圧室（第１室）２３４；低圧室（第２室）２３６
【図１】
0004499807.tif 000002
【図２】
0004499807.tif 000003
【図３】
0004499807.tif 000004
【図４】
0004499807.tif 000005
【図５】
0004499807.tif 000006
【図６】
0004499807.tif 000007
【図７】
0004499807.tif 000008
【図８】
0004499807.tif 000009